(57)【要約】【課題】文書内容の記憶を支援することができる情報処理装置等を提供する。【解決手段】情報処理装置１は、文書の一のページから他のページに表示を切り替える場合、前記一のページの一部を他の部分と異なる態様で表示した後、前記他のページを表示する表示部を備えることを特徴とする。ユーザが復読すべき箇所が明示されることにより、ユーザは自然と復読を行うことができ、文書の内容を効率よく記憶することができる。これにより情報処理装置１は、文書内容の記憶を支援する。【選択図】図１
2018142228.tif 000002
【特許請求の範囲】
【請求項１】
文書の一のページから他のページに表示を切り替える場合、前記一のページの一部を他の部分と異なる態様で表示した後、前記他のページを表示する表示部を備える
ことを特徴とする情報処理装置。
【請求項２】
前記表示部は、
前記一のページの先頭部分から最終部分まで、一部ずつ異なる態様に変更して表示し、
前記最終部分まで表示処理が完了した後、前記他のページを表示する
ことを特徴とする請求項１に記載の情報処理装置。
【請求項３】
ユーザによる操作入力を受け付ける操作入力部を備え、
前記表示処理を行っている間に、前記操作入力部が所定の操作入力を受け付けた場合、前記表示部は、操作入力を受け付けた時点で前記表示処理を一時停止、又は初期状態の前記一のページを再表示する
ことを特徴とする請求項２に記載の情報処理装置。
【請求項４】
前記表示部は、前記一のページを一部ずつ消去する
ことを特徴とする請求項１〜請求項３のいずれか１項に記載の情報処理装置。
【請求項５】
前記表示部は、前記一のページの一部を強調して表示する
ことを特徴とする請求項１〜請求項４のいずれか１項に記載の情報処理装置。
【請求項６】
前記表示部は、前記一部のマーキング表示、ハイライト表示、又は該一部に含まれる文字の表示態様の変更により強調表示を行う
ことを特徴とする請求項５に記載の情報処理装置。
【請求項７】
前記表示部は、前記他の部分の表示を変更することで強調表示を行う
ことを特徴とする請求項５に記載の情報処理装置。
【請求項８】
前記表示部は、前記一部から離れるに従い、前記他の部分の表示色、輝度、又は明度が連続的に変化するように変更する
ことを特徴とする請求項７に記載の情報処理装置。
【請求項９】
前記表示部は、前記一のページを一部ずつポップアップ表示する
ことを特徴とする請求項１〜請求項８のいずれか１項に記載の情報処理装置。
【請求項１０】
前記一のページの一部の重要度を指定する指定入力を受け付ける指定入力部を備え、
前記表示部は、前記一部に係る前記重要度に応じて、該一部を異なる態様で表示する表示時間を変更する
ことを特徴とする請求項１〜請求項９のいずれか１項に記載の情報処理装置。
【請求項１１】
前記表示部は、前記一部に含まれる文字数に応じて、該一部を異なる態様で表示する表示時間を変更する
ことを特徴とする請求項１〜請求項１０のいずれか１項に記載の情報処理装置。
【請求項１２】
前記表示部は、前記他のページに表示を切り替えた場合、表示画面の第１表示領域に前記一のページを、前記第１表示領域と異なる第２表示領域に前記他のページを夫々表示する
ことを特徴とする請求項１〜請求項１１のいずれか１項に記載の情報処理装置。
【請求項１３】
文書の一のページから他のページに表示を切り替える場合、前記一のページの一部を他の部分と異なる態様で表示部に表示した後、前記他のページを前記表示部に表示する
処理をコンピュータに実行させることを特徴とするプログラム。
【発明の詳細な説明】
【技術分野】
【０００１】
本発明は、情報処理装置及びプログラムに関する。
【背景技術】
【０００２】
電子書籍に代表されるように、タブレット端末、電子書籍リーダ、スマートフォン等の電子機器において文書を読む機会が増えている。それに伴い、電子文書の読書を支援する様々な手法が提案されている。
【０００３】
特許文献１では、ユーザの読書能力に応じた速読訓練を行う速読訓練装置等が開示されている。速読訓練装置は、サンプルページのページ送り時間により計測されたユーザの読書速度に応じて訓練内容を選択し、選択された訓練内容に従って速読訓練用のページ画像を表示する。
【先行技術文献】
【特許文献】
【０００４】
【特許文献１】特許第５９２６６５０号公報
【発明の概要】
【発明が解決しようとする課題】
【０００５】
一方、人間の記憶モデルによると、文書の内容を長期的に記憶するためには、読み取った情報を何度も反復して読み込む作業、いわゆるリハーサルが必要である。特許文献１に係る発明は、ユーザが文書を速読できるように訓練することを目的としており、文書の内容を記憶に定着させることは難しい。
【０００６】
本発明は斯かる事情によりなされたものであって、その目的とするところは、文書内容の記憶を支援することができる情報処理装置等を提供することにある。
【課題を解決するための手段】
【０００７】
本発明に係る情報処理装置は、文書の一のページから他のページに表示を切り替える場合、前記一のページの一部を他の部分と異なる態様で表示した後、前記他のページを表示する表示部を備えることを特徴とする。
【０００８】
本発明に係る情報処理装置は、前記表示部は、前記一のページの先頭部分から最終部分まで、一部ずつ異なる態様に変更して表示し、前記最終部分まで表示処理が完了した後、前記他のページを表示することを特徴とする。
【０００９】
本発明に係る情報処理装置は、ユーザによる操作入力を受け付ける操作入力部を備え、前記表示処理を行っている間に、前記操作入力部が所定の操作入力を受け付けた場合、前記表示部は、操作入力を受け付けた時点で前記表示処理を一時停止、又は初期状態の前記一のページを再表示することを特徴とする。
【００１０】
本発明に係る情報処理装置は、前記表示部は、前記一のページを一部ずつ消去することを特徴とする。
【００１１】
本発明に係る情報処理装置は、前記表示部は、前記一のページの一部を強調して表示することを特徴とする。
【００１２】
本発明に係る情報処理装置は、前記表示部は、前記一部のマーキング表示、ハイライト表示、又は該一部に含まれる文字の表示態様の変更により強調表示を行うことを特徴とする。
【００１３】
本発明に係る情報処理装置は、前記表示部は、前記他の部分の表示を変更することで強調表示を行うことを特徴とする。
【００１４】
本発明に係る情報処理装置は、前記表示部は、前記一部から離れるに従い、前記他の部分の表示色、輝度、又は明度が連続的に変化するように変更することを特徴とする。
【００１５】
本発明に係る情報処理装置は、前記表示部は、前記一のページを一部ずつポップアップ表示することを特徴とする。
【００１６】
本発明に係る情報処理装置は、前記一のページの一部の重要度を指定する指定入力を受け付ける指定入力部を備え、前記表示部は、前記一部に係る前記重要度に応じて、該一部を異なる態様で表示する表示時間を変更することを特徴とする。
【００１７】
本発明に係る情報処理装置は、前記表示部は、前記表示部は、前記一部に含まれる文字数に応じて、該一部を異なる態様で表示する表示時間を変更することを特徴とする。
【００１８】
本発明に係る情報処理装置は、前記表示部は、前記他のページに表示を切り替えた場合、表示画面の第１表示領域に前記一のページを、前記第１表示領域と異なる第２表示領域に前記他のページを夫々表示することを特徴とする。
【００１９】
本発明に係るプログラムは、文書の一のページから他のページに表示を切り替える場合、前記一のページの一部を他の部分と異なる態様で表示部に表示した後、前記他のページを前記表示部に表示する処理をコンピュータに実行させることを特徴とする。
【発明の効果】
【００２０】
本発明によれば、文書内容の記憶を支援することができる。
【図面の簡単な説明】
【００２１】
【図１】情報処理装置の構成例を示すブロック図である。
【図２】ページ切替処理の一例を説明するための説明図である。
【図３】ページ切替処理の他の例を説明するための説明図である。
【図４】ページ切替処理の他の例を説明するための説明図である。
【図５】ページ切替処理の他の例を説明するための説明図である。
【図６】ページ切替処理の他の例を説明するための説明図である。
【図７】端末が実行する処理手順の一例を示すフローチャートである。
【図８】実施の形態２に係るページ切替処理の一例を示す説明図である。
【図９】実施の形態２に係る端末が実行する処理手順の一例を示すフローチャートである。
【図１０】実施の形態３に係るページ切替処理を説明するための説明図である。
【図１１】実施の形態３に係る端末が実行する処理手順の一例を示すフローチャートである。
【図１２】実施の形態４に係るページ画像の一例を示す説明図である。
【図１３】実施の形態４に係る端末が実行する処理手順の一例を示すフローチャートである。
【発明を実施するための形態】
【００２２】
以下、本発明をその実施の形態を示す図面に基づいて詳述する。
（実施の形態１）
本実施の形態では、電子書籍等の文書を表示する情報処理装置について説明を行う。図１は、情報処理装置１の構成例を示すブロック図である。情報処理装置１は、例えばタブレット端末、電子書籍リーダ、スマートフォン、パーソナルコンピュータ等の情報処理装置である。以下の説明では、情報処理装置１はタブレット端末であるものとし、簡潔のため端末１と読み替える。
【００２３】
端末１は、制御部１１、記憶部１２、通信部１３、表示部１４、入力部１５を含む。制御部１１はＣＰＵ、ＭＰＵ等の演算処理装置を含み、記憶部１２に記憶されたプログラムＰを読み出して実行することにより、端末１に係る種々の情報処理、制御処理等を行う。記憶部１２はＲＡＭ、ＲＯＭ等のメモリ素子を含み、制御部１１が処理を実行するために必要なプログラムＰ又はデータ等を記憶している。また、記憶部１２は演算処理を実行するために必要なデータ等を一時的に記憶する。また、記憶部１２には文書データ１２１が記憶されており、制御部１１は文書データ１２１を読み出して後述の表示制御処理を行う。通信部１３はアンテナ及び通信処理回路等を含み、インターネット等のネットワークを介して情報の送受信を行う。例えば端末１は、通信部１３を介して外部から文書データ１２１を取得し、記憶部１２に記憶する。表示部１４は液晶ディスプレイ又は有機ＥＬ（Electro Luminescence）ディスプレイ等の画面を有し、制御部１１から与えられた画像を表示する。入力部１５は表示部１４に設けられたタッチパネル又は押下式のボタン等であり、ユーザによる操作入力を受け付け、操作内容を制御部１１に通知する。
【００２４】
なお、本実施の形態において端末１は上記の構成に限られず、例えば音声の入出力を行うマイク及びスピーカ等の音声入出力部、可搬型記憶媒体に記憶された情報を読み取る読取部等を含んでもよい。
また、端末１はネットワーク通信により文書データ１２１を取得するのではなく、可搬型記憶媒体から文書データ１２１を読み込むこととしてもよい。
【００２５】
図２は、ページ切替処理の一例を説明するための説明図である。以下では端末１が実行する処理の概要について説明する。なお、以下の説明では便宜上、端末１の処理主体は制御部１１であるものとする。
端末１の制御部１１は、記憶部１２に記憶されている文書データ１２１に基づき、電子書籍等の文書に含まれる各ページを表示部１４に表示する。例えば図２の左右に示すように、制御部１１は一ページ毎にページ画像を表示する。制御部１１は、例えばスワイプ操作、タップ操作等の所定のページ送り操作を入力部１５により受け付けた場合、図２左に示す一のページから、図２右に示す次のページへと表示ページを切り替える。なお、以下の説明では図２左に示すページを「元ページ」と呼び、図２右に示すページを「次ページ」と呼ぶ。
【００２６】
ユーザが文書の内容を長期的に記憶するためには、文書を繰り返し読むリハーサル作業が必要である。人間の記憶モデルによれば、文書を繰り返し読むことで、いわゆる短期記憶に記憶された文書内容が長期記憶へと定着していく。しかしながら、従来の電子リーダでは文書の各ページを順次表示するのみで、ユーザが元ページの文書内容を忘れた場合、元ページに表示を戻して再読するしかなかった。すなわち、従来の電子リーダはリハーサルのための機能を備えていなかった。
【００２７】
そこで本実施の形態に係る端末１は、元ページの文章内容をユーザの長期記憶に定着させるべく、表示ページを切り替える前に、元ページを再描画して表示する処理を行う。具体的には、制御部１１は元ページを一部ずつ異なる態様に変更して表示する。
【００２８】
例えば制御部１１は、元ページに含まれる文章の構文を解析する構文解析処理を行う。これにより制御部１１は、文章中の句読点、段落等の位置を特定する。制御部１１は解析結果に基づき、元ページの文章を句読点毎、センテンス毎、又は段落毎などの単位で複数の部分に分割する。なお、以下の説明では分割された各部分を「セグメント」と呼ぶ。
【００２９】
制御部１１は、分割したセグメント毎に、表示態様を順次変更して表示する処理を行う。例えば図２に示すように、制御部１１は各セグメントを、ページ冒頭に位置する先頭セグメントから、ページ末尾に位置する最終セグメントまで順次消去する。なお、図２では句読点単位で分割された各セグメントを順次消去する様子を図示している。
【００３０】
この場合に制御部１１は、人間の視点位置の平均移動速度を考慮し、例えば一セグメント当たり２５０ミリ秒程度の表示時間で消去していく。なお、当該表示時間は一例であって、例えば制御部１１は、１００ミリ秒程度の時間で各セグメントを消去してもよい。また、当該時間間隔はユーザにより設定変更されてもよい。
【００３１】
制御部１１は、２５０ミリ秒毎に各セグメントを順次消去することで、元ページの表示態様を、元の表示態様とは異なる態様に変更する。例えば図２に示すように、文書の３ページ目を表示中にページ送りの操作を受け付けた場合、制御部１１は、２５０ミリ秒後に１番目のセグメント（先頭セグメント）が消去された３ページ目の画像を、５００ミリ秒後に１番目及び２番目のセグメントが消去された３ページ目の画像を、７５０ミリ秒後に１〜３番目のセグメントが消去された３ページ目の画像を…というように、複数の表示段階に分けて元ページを徐々に変化させて表示する。各セグメントが順次消去されることから、ユーザは各表示段階において、最上段に位置するセグメントの文章を自然と復読することができる。これにより、ユーザには元ページを繰り返し読むリハーサル作業が促され、効率の良い文書内容の記憶を支援することができる。
【００３２】
図３は、ページ切替処理の他の例を説明するための説明図である。上記で端末１は、元ページの各セグメントを順次消去することで復読を促したが、本実施の形態はこれに限定されるものではない。例えば端末１の制御部１１は、各セグメントを消去するだけでなく、各セグメントを強調して表示してもよい。具体的には、制御部１１は先頭から順に各セグメントを消去すると共に、消去が完了したセグメントの次のセグメント、すなわち表示されているセグメントのうち、最上段のセグメントを強調して表示する。例えば制御部１１は、図３に示すように、最上段のセグメントにマーカを付加するマーキング表示を行う。なお、例えば制御部１１は、マーキング表示ではなく、当該セグメントの背景色の変更、すなわちハイライト表示により当該セグメントを強調してもよい。また、例えば制御部１１は、当該セグメントの文字の色、大きさ、太さ等について表示態様を変更することにより、当該セグメントを強調してもよい。すなわち制御部１１は、各セグメントを順次強調することができればよく、セグメントを強調する方法は特に限定されない。制御部１１は、先頭セグメントから順次強調表示を行う。これにより、制御部１１は復読すべきセグメントをユーザに明示し、復読を促す。
【００３３】
なお、上記で端末１はセグメントの消去と強調とを同時に行ったが、本実施の形態はこれに限定されるものではなく、例えば強調表示のみを行い、セグメントの消去は行わないこととしてもよい。
【００３４】
図４は、ページ切替処理の他の例を説明するための説明図である。図３の表示例では、制御部１１はユーザが復読すべきセグメントを強調することで復読を促したが、当該セグメントを他のセグメントと異なる態様で表示することで、ユーザが復読すべきセグメントを相対的に強調することとしてもよい。具体的に制御部１１は、図４に示すように、他のセグメントの文字の色変更、例えばグレーアウトを行う。制御部１１は、ページ送り操作を受け付けた場合、まず先頭セグメントはグレーアウトせず、他のセグメントをグレーアウトする。これにより、制御部１１は先頭セグメントを強調して表示する。次に制御部１１は、先頭セグメントの次のセグメントについて文字の色を戻し、その他のセグメントをグレーアウトする。制御部１１は上記のグレーアウト表示を各セグメントについて順次行い、各セグメントを強調する。これにより制御部１１は、グレーアウトされていないセグメントを復読するようにユーザに促す。
【００３５】
なお、上記で制御部１１は文字の色を変更することとしたが、後述する表示例（図６参照）のように、文字ではなく背景色を変更することで強調表示を行ってもよい。
【００３６】
また、制御部１１は表示色を変更するのではなく、例えば輝度、明度等を変更することで強調表示を行ってもよい。例えば制御部１１は、ユーザが復読すべきセグメントについては輝度又は明度を変更せず、その他のセグメントについて文字又は背景が暗くなるように輝度又は明度を変更する。これにより、ユーザが復読すべきセグメントが相対的に明るく表示され、復読を促すことができる。
【００３７】
図５は、ページ切替処理の他の例を説明するための説明図である。図４では一のセグメントと他のセグメントとの境界が明確に分かるようにグレーアウトを行う様子を図示したが、例えば図５に示すように、制御部１１は一のセグメントと他のセグメントとの間で表示色が連続的に変化するようにグラデーション表示を行ってもよい。具体的に制御部１１は、ユーザに復読させる一のセグメントから離れるに従い、前後のセグメントの表示色が徐々に黒色から灰色に変化するように調整してグレーアウトを行う。この場合であっても、ユーザが復読すべきセグメントを明示することができる。
【００３８】
図６は、ページ切替処理の他の例を説明するための説明図である。例えば制御部１１は、ユーザに復読させるセグメントについてポップアップ表示を行ってもよい。具体的には図６に示すように、制御部１１は、表示画面の中央に表示され、画面上に浮かび上がるように表示されるポップアップ領域１４１に、各セグメントの文章を連続的に表示する。なお、図６に示す例で制御部１１は、他のセグメントとのコントラストを付けるべく、表示領域１４１以外の表示領域に係るページ背景をグレーアウトする。制御部１１は先頭セグメントから最終セグメントに掛けて、各セグメントを所定時間毎にポップアップ領域１４１に表示する。これにより、各セグメントについて連続的にポップアップ表示がなされ、ユーザによる復読が促される。
【００３９】
なお、上記で制御部１１は、表示画面の中央にポップアップ領域１４１を表示したが、ポップアップ領域１４１の表示位置は特に限定されず、その他の位置に表示されてもよい。
【００４０】
図２〜図６で説明したように、制御部１１は元ページの先頭セグメントから最終セグメントに掛けて、消去、強調、ポップアップ等の表示処理を順次行う。すなわち制御部１１は、ページ送り操作を受け付けてもすぐに次ページへ遷移することなく、元ページを一部ずつ異なる態様に変更して表示し、ユーザによる復読を促す。最終セグメントまで表示処理が完了後、制御部１１は次ページに表示を切り替える。これによりユーザは、ページ送りをする前に、元ページについて自然とリハーサル作業を行うことができ、文書内容の記憶を支援することができる。
【００４１】
なお、上記では文書がテキストのみからなる場合について例示したが、本実施の形態はこれに限定されるものではなく、例えば文書中に表、図などが含まれてもよい。この場合、例えば端末１は元ページに対して所定のレイアウト解析を行い、表、図などのオブジェクトを認識し、消去等の表示処理を順次行う。これにより、端末１は新聞、マニュアル、漫画等についても一連の表示処理を行い、ユーザに復読を促すことができる。
【００４２】
図７は、端末１が実行する処理手順の一例を示すフローチャートである。図７に基づき、端末１が実行する処理内容について説明する。
端末１の制御部１１は、記憶部１２に記憶されている文書データ１２１を読み出し、最初のページを表示部１４に表示する（ステップＳ１１）。なお、例えばしおり機能に代表されるように、端末１は文書の既読履歴を参照して、文書の途中ページから表示を開始してもよいことは勿論である。制御部１１は、スワイプ、タップ等の操作入力の有無に応じて、表示ページを次のページに切り替えるか否かを判定する（ステップＳ１２）。表示ページを切り替えないと判定した場合（Ｓ１２：ＮＯ）、制御部１１は処理を待機する。
【００４３】
表示ページを切り替えると判定した場合（Ｓ１２：ＹＥＳ）、制御部１１は、表示中のページが最終ページか否かを判定する（ステップＳ１３）。最終ページであると判定した場合（Ｓ１３：ＹＥＳ）、制御部１１は一連の処理を終了する。
【００４４】
最終ページでないと判定した場合（Ｓ１３：ＮＯ）、制御部１１は、表示中のページを複数のセグメントに分割する（ステップＳ１４）。例えば制御部１１は、表示中のページに含まれる文章の構文を解析する処理を行い、句読点、段落等の位置を判別する。制御部１１は解析結果に基づき、例えば句読点毎、センテンス毎、段落毎などの単位で表示中のページ文章を複数のセグメントに分割する。
【００４５】
制御部１１は、分割した複数のセグメントのうち、先頭のセグメントを、他のセグメントと異なる態様で表示する表示処理を行う（ステップＳ１５）。例えば制御部１１は、先頭セグメントについて消去、強調表示、ポップアップ表示等を行う。制御部１１は、ステップＳ１５、又は後述するステップＳ１７の処理を行ってから所定の表示時間が経過したか否かを判定する（ステップＳ１６）。当該表示時間は、例えば２５０ミリ秒程度の時間である。表示時間が経過していないと判定した場合（Ｓ１６：ＮＯ）、制御部１１は処理を待機する。表示時間が経過したと判定した場合（Ｓ１６：ＹＥＳ）、制御部１１は、次のセグメントを、異なる態様に変更して表示する（ステップＳ１７）。制御部１１は、ステップＳ１７で処理したセグメントが最終セグメントであるか否かを判定する（ステップＳ１８）。最終セグメントでないと判定した場合（Ｓ１８：ＮＯ）、制御部１１は処理をステップＳ１６に戻す。制御部１１はステップＳ１６〜Ｓ１８の処理を繰り返し、各セグメントについて消去、強調表示、ポップアップ表示等を順次行うことで、先頭セグメントから最終セグメントまで、一部ずつ異なる態様に変更して表示する。
【００４６】
最終セグメントであると判定した場合（Ｓ１８：ＹＥＳ）、制御部１１は表示ページを次のページに切り替える（ステップＳ１９）。すなわち制御部１１は、最終セグメントまで一連の表示処理が完了した後、初めて次ページを表示する。制御部１１は処理をステップＳ１２に戻す。
【００４７】
なお、上記で端末１は、一のページに含まれる全てのセグメントについて上述の表示処理を行ったが、本実施の形態はこれに限定されるものではない。例えば端末１は、１番目のセグメント、３番目のセグメント、５番目のセグメント…というように、非連続のセグメント毎に上記の表示処理を行ってもよい。すなわち端末１は、一のページの少なくとも一部を、他の部分と異なる態様で表示することができればよく、全てのセグメントについて上述の表示処理を行う必要はない。
【００４８】
また、上記では連続する２ページの間で表示を切り替える場合を説明したが、本実施の形態はこれに限定されるものではない。例えば端末１は、１ページ目から１０ページ目に表示をジャンプさせる場合のように、元ページの前後のページを飛ばして他のページに切り替える場合に上記の表示処理を行ってもよい。すなわち、表示の切り替え前後における各ページは連続するページである必要はない。
【００４９】
また、上記では電子書籍を文書の一例として説明を行ったが、本実施の形態はこれに限定されるものではなく、例えばＰＤＦファイルなど、その他の文書ファイルについて一連の表示処理を行ってもよい。
【００５０】
また、上記で端末１は、構文解析を行って元ページを複数のセグメントに分割したが、本実施の形態はこれに限定されるものではない。例えば端末１は、一行毎の文章をセグメントの単位として、各行の文章について上記の表示処理を順次行ってもよい。すなわち、端末１は必ずしも構文解析処理を行う必要はなく、元ページの分割単位も特に限定されない。
【００５１】
以上より、本実施の形態１によれば、文書内容の記憶を支援することができる。
【００５２】
また、本実施の形態１によれば、先頭セグメントから最終セグメントに至る各セグメントについて一連の表示処理を行うことで、ユーザに対して効率的な文書の復読を行わせることができる。
【００５３】
また、本実施の形態１によれば、各セグメントを順次消去することで、ユーザは自然に復読を行うことができる。
【００５４】
また、本実施の形態１によれば、ユーザが復読すべきセグメントを強調することで、ユーザは復読すべき箇所を容易に把握することができる。
【００５５】
また、本実施の形態１によれば、マーキング表示、ハイライト表示、又は文字の表示態様の変更により、適切に各セグメントを強調することができる。
【００５６】
また、本実施の形態１によれば、ユーザが復読すべきセグメントと異なる他のセグメントをグレーアウト等することで、復読すべきセグメントにユーザの視点を自然と誘導することができる。
【００５７】
また、本実施の形態１によれば、ユーザが復読すべきセグメントから離れるに従って他のセグメントの表示色、輝度、明度等が連続的に変化するようグラデーション表示を行うことで、より自然とユーザの視点を各セグメントに誘導することができる。
【００５８】
また、本実施の形態１によれば、ユーザが復読すべきセグメントについてポップアップ表示を行うことで、より確実に復読を促すことができる。
【００５９】
（実施の形態２）
本実施の形態では、ユーザにより指定された各セグメントの重要度に応じて、各セグメントに係る表示時間を変更する形態について述べる。なお、実施の形態１と重複する内容については同一の符号を付して説明を省略する。
図８は、実施の形態２に係るページ切替処理の一例を示す説明図である。図８では図３等と同じく、端末１がページ切替時に元ページを一部ずつ異なる態様に変更して表示する様子を図示している。
【００６０】
本実施の形態において端末１の制御部１１は、入力部１５を介して、表示ページの文章の一部について、重要度を指定する指定入力を受け付ける。例えば制御部１１は、文書の一部に対するマーキング、ハイライト、メモ等のように、文書の閲覧（読書）を補助するための補助情報の入力を受け付ける。例えば図８左のページ画像に示すように、制御部１１は、文書中の一部文章に対する長押し操作、ドラッグ操作等により、当該一部文章へのマーキングの設定入力を受け付ける。これにより、ユーザは文書の重要箇所に目印を付けることができる。
【００６１】
制御部１１は、表示ページを切り替える場合、各セグメントにおいて設定された補助情報の有無に応じて重要度を判断し、当該重要度に応じて各セグメントに係る表示時間を変更する。例えば制御部１１は、マーキング等の補助情報が設定されていないセグメントに係る表示段階より、補助情報が設定されたセグメントに係る表示段階において表示時間が長くなるように、各段階の表示時間を決定する。例えば図８に示すように、元ページの２番目のセグメントに付加情報が設定されている場合を考える。この場合に制御部１１は、図８中央の左から２番目に示す元ページの表示画像を、他の段階における元ページの表示画像よりも長時間（例えば１０００ミリ秒）表示する。なお、例えば制御部１１は、補助情報が設定されていないセグメントに係る表示段階の表示時間を短縮してもよい。以上より、ユーザはマーキングされた箇所を長時間復読することになり、元ページ全体として効率の良い復読を行うことができる。
【００６２】
図９は、実施の形態２に係る端末１が実行する処理手順の一例を示すフローチャートである。文書の一のページを表示する処理を実行した後（ステップＳ１１）、端末１の制御部１１は以下の処理を実行する。
制御部１１は、表示中のページの一部の重要度を指定する指定入力を受け付ける（ステップＳ２０１）。例えば制御部１１は、表示画面における表示ページの一部文章への長押し、ドラッグ等の操作入力を受け付けることで、文書の一部に対するマーキング、ハイライト、メモ等の補助情報の設定入力を受け付ける。制御部１１は、処理をステップＳ１２に移行する。
【００６３】
表示中のページを複数のセグメントに分割した後（ステップＳ１４）、制御部１１は、分割した各セグメントの重要度に応じて、各セグメントを異なる態様で表示する表示時間を決定する（ステップＳ２０２）。例えば制御部１１は、マーキング等の補助情報が設定されていないセグメントに係る表示段階より、補助情報が設定されているセグメントに係る表示段階において表示時間が長くなるように、各段階の表示時間を決定する。制御部１１は、処理をステップＳ１５に移行する。
【００６４】
ステップＳ１５の処理を実行後、又はステップＳ１８でＮＯの場合、制御部１１は、ステップＳ１５又はＳ１７の処理を行ってから、ステップＳ２０２で決定された現表示段階における表示時間が経過したか否かを判定する（ステップＳ２０３）。例えば制御部１１は、上述の如く、マーキング等の補助情報の有無に応じて決定された表示時間を経過したか否かを判定する。表示時間が経過していないと判定した場合（Ｓ２０３：ＮＯ）、制御部１１は処理を待機する。表示時間が経過したと判定した場合（Ｓ２０３：ＹＥＳ）、制御部１１は処理をステップＳ１７に移行する。
【００６５】
なお、上記で端末１は、各セグメントの重要度をマーキング等の補助情報の設定の有無に応じて判断したが、本実施の形態はこれに限定されるものではない。例えば端末１は、ユーザが重要と考えるキーワードについて事前に設定入力を受け付け、当該キーワードを含むセグメントについて表示時間を延長することとしてもよい。このように、重要度の判断基準は補助情報の設定の有無に限定されない。
【００６６】
なお、本実施の形態では各段階の表示時間を、各セグメントの重要度に応じて変更した。しかしながら、表示時間は他の基準により変更されてもよい。例えば端末１は、各セグメントに含まれる文字数に応じて表示時間を変更してもよい。具体的には、端末１は次ページに表示を切り替える場合、元ページを複数のセグメントに分割すると共に、各セグメントの文字数を判別する。端末１は、各セグメントの文字数を所定の基準数と比較し、基準数よりも文字数が多いセグメントについては表示時間を長くする。これにより、ユーザは長文のセグメントであっても十分に復読することができる。
【００６７】
以上より、本実施の形態２によれば、元ページの各セグメントの重要度に応じて、各段階での表示時間を変更することで、効率よく元ページの復読を行うことができる。
【００６８】
（実施の形態３）
本実施の形態では、ページ切替中に受け付けた操作入力に基づき、表示の一時停止又はページ戻りを行う形態について述べる。
図１０は、実施の形態３に係るページ切替処理を説明するための説明図である。端末１の制御部１１は、実施の形態１と同様のページ切替処理を行う。すなわち制御部１１は、次ページへと表示を切り替える場合に、元ページを複数の表示パターンに分けて段階的に表示する。
【００６９】
本実施の形態において制御部１１は、上記の表示処理の途中で所定の操作入力を受け付けた場合、切替中の表示画面で一時停止する。すなわち制御部１１は、図１０中央に示すいずれかの表示段階において、停止操作を受け付ける。当該停止操作は、例えば表示画面へのタップ操作である。制御部１１は、図１０中央に示すいずれかの段階で操作入力を受け付けた場合、表示中の画面で一時停止する。これによりユーザは、ページ切替中に見つけた復読したい箇所をゆっくりと復読することができる。
【００７０】
なお、上記で制御部１１は、一連の表示処理を行っている間に操作を受け付けた場合、表示画面を一時停止することとしたが、本実施の形態はこれに限定されるものではない。例えば制御部１１は、操作入力を受け付けた場合、元ページを、上記の表示処理を行う前の初期状態で再表示してもよい。すなわち、制御部１１はセグメントの消去、強調表示等が行われていない初期状態の元ページに表示を戻す。当該処理によっても、上記と同様の効果を奏する。
【００７１】
図１１は、実施の形態３に係る端末１が実行する処理手順の一例を示すフローチャートである。先頭セグメントを再描画する処理を実行した後（ステップＳ１５）、端末１の制御部１１は以下の処理を実行する。
制御部１１は、入力部１４を介して所定の操作入力を受け付けたか否かを判定する（ステップＳ３０１）。当該操作は、例えば表示画面へのタップ操作等である。操作入力を受け付けていないと判定した場合（Ｓ３０１：ＮＯ）、制御部１１は処理をステップＳ１６に移行する。操作入力を受け付けたと判定した場合（Ｓ３０１：ＹＥＳ）、制御部１１は、一連の表示処理を一時停止する（ステップＳ３０２）。すなわち、制御部１１ページの切り替え処理を一時中断する。制御部１１は、一時停止を解除する所定の操作入力を入力部１５により受け付けたか否かを判定する（ステップＳ３０３）。解除操作は、例えば表示画面への再タップ操作である。解除操作を受け付けていないと判定した場合（Ｓ３０３：ＮＯ）、制御部１１は処理を待機し、一時停止を継続する。解除操作を受け付けたと判定した場合（Ｓ３０３：ＹＥＳ）、制御部１１は処理をステップＳ１６に移行する。
【００７２】
以上より、本実施の形態３によれば、ユーザの操作に従って表示処理の一時停止又はページ戻りを行う。これにより、ユーザはリハーサル中に見つけた箇所をゆっくりと復読することができる。
【００７３】
（実施の形態４）
本実施の形態では、元ページの一部を次ページにも表示する形態について述べる。
図１２は、実施の形態４に係るページ画像の一例を示す説明図である。図１２では、元ページから次ページへの表示の切り替えが完了した場合の表示画面の一例を示している。本実施の形態において端末１の制御部１１は、次ページを表示する場合、元ページの一部も併せて表示部１４に表示する。
【００７４】
具体的に制御部１１は、表示画面を第１表示領域１４２と第２表示領域１４３とに分割し、各表示領域に元ページ及び次ページを表示する。例えば制御部１１は、表示文書の行方向に沿って、表示画面を所定比率で区分する。例えば図１２に示すように、横書きの書式で文書を表示する場合、制御部１１は、文書の縦方向に沿って表示画面を区分する。この場合、制御部１１は文書の前段に相当する画面上部の領域を第１表示領域１４２とし、第１表示領域１４２とは異なる画面下部の領域を第２表示領域１４３とする。
【００７５】
制御部１１は、第１表示領域１４２に元ページの一部を、第２表示領域１４３に次ページを表示する。具体的には、制御部１１は元ページに含まれる複数のセグメントのうち、最終セグメントを含む元ページの後段部分を第１表示領域１４に表示する。なお、制御部１１は元ページを全部表示してもよい。例えば制御部１１は、第２表示領域１４３に表示される次ページの文字と比較して、第１表示領域に表示される元ページの文字を縮小して表示することで、元ページの一部を圧縮して表示する。これにより、ユーザは次ページを読みながら、併せて元ページの内容を参照することができ、ページ戻りをする必要がない。
【００７６】
なお、上記の表示領域の分割方法は一例であって、本実施の形態はこれに限定されるものではない。例えば端末１は、画面下部を第１表示領域１４２とし、画面上部を第２表示領域１４３として、元ページを画面下部に表示してもよい。また、例えば端末１は、文書の読み方向（図１２における左右方向）に沿って表示画面を分割してもよい。また、例えば端末１は、表示画面を中央部分と、当該中央部分を囲む外縁部分の二領域に分割し、中央部分に次ページを、外縁部分に元ページを表示してもよい。このように、表示領域の分割方法は特に限定されず、文書を表示する表示画面を第１表示領域１４２と第２表示領域１４３とに分割することができればよい。
【００７７】
図１３は、実施の形態４に係る端末１が実行する処理手順の一例を示すフローチャートである。ステップＳ１７で処理したセグメントが最終セグメントであると判定した場合（Ｓ１８：ＹＥＳ）、制御部１１は、以下の処理を実行する。
制御部１１は、表示画面を第１表示領域１４２と第２表示領域１４３とに分割する（ステップＳ４０１）。具体的には図１２に示したように、制御部１１は表示文書の行方向に沿って表示画面を所定比率で区分することで、第１表示領域１４２と第２表示領域１４３とに分割する。制御部１１は、第１表示領域１４２に元ページを表示する（ステップＳ４０２）。例えば制御部１１は、元ページの後段部分を第１表示領域１４２に表示する。制御部１１は、第２表示領域１４３に次ページを表示する（ステップＳ４０３）。制御部１１は、処理をステップＳ１２に戻す。
【００７８】
以上より、本実施の形態４によれば、元ページを次ページにも表示することで、文書内容の長期記憶への定着をさらに促すことができる。
【００７９】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００８０】
１  端末（情報処理装置）
１１  制御部
１２  記憶部
Ｐ  プログラム
１３  通信部
１４  表示部
１４１  ポップアップ領域
１４２  第１表示領域
１４３  第２表示領域
１５  入力部
【図１】
2018142228.tif 000003
【図２】
2018142228.tif 000004
【図３】
2018142228.tif 000005
【図４】
2018142228.tif 000006
【図５】
2018142228.tif 000007
【図６】
2018142228.tif 000008
【図７】
2018142228.tif 000009
【図８】
2018142228.tif 000010
【図９】
2018142228.tif 000011
【図１０】
2018142228.tif 000012
【図１１】
2018142228.tif 000013
【図１２】
2018142228.tif 000014
【図１３】
2018142228.tif 000015